(57)【要約】【課題】位置ずれを起こしにくいセッティングブロックを有する建具を提供すること。【解決手段】ガラス面材２６と、該ガラス面材２６の端部を保持するガラス保持溝２５を有する框２０と、ガラス面材２６とガラス保持溝２５との間に配置されるセッティングブロック３と、を備える建具１であって、ガラス保持溝２５は、底面部２５１と、底面部２５１の幅方向における各端部から起立する一対の立上げ壁２５２と、底面部２５１に形成され２０框の長手方向に延びる溝部２５３と、を有し、セッティングブロック３は、基部３１と、基部３１から突出して溝部２５３に挿入される突出部３２と、を有し、突出部３２は、溝部２５３における幅方向の一方側の内面に係合する係合部３２１と、溝部２５３における幅方向の他方側の内面を外側へ付勢する付勢部３２２と、を有する建具である。【選択図】図５
2018138755.tif 000002
【特許請求の範囲】
【請求項１】
ガラス面材と、該ガラス面材の端部を保持するガラス保持溝を有する框と、前記ガラス面材と前記ガラス保持溝との間に配置されるセッティングブロックと、を備える建具であって、
前記ガラス保持溝は、底面部と、該底面部の幅方向における各端部から起立する一対の立上げ壁と、前記底面部に形成され前記框の長手方向に延びる溝部と、を有し、
前記セッティングブロックは、基部と、該基部から突出して前記溝部に挿入される突出部と、を有し、
該突出部は、前記溝部における幅方向の一方側の内面に係合する係合部と、前記溝部における幅方向の他方側の内面を外側へ付勢する付勢部と、を有する建具。
【請求項２】
前記係合部は、前記基部から前記幅方向の一方側に延出する弾性変形可能な第１ヒレ部で構成され、該第１ヒレ部が前記溝部における前記幅方向の一方側の開口端部の内面に係合する請求項１に記載の建具。
【請求項３】
前記付勢部は、前記基部から前記幅方向の他方側に延出する弾性変形可能な第２ヒレ部で構成され、該第２ヒレ部が前記溝部における前記幅方向の他方側の開口端部を外側に付勢する請求項１又は２に記載の建具。
【請求項４】
前記セッティングブロックは、前記立上げ壁と、前記基部における前記立上げ壁に対向する両端部と、の間に隙間を有して配置される請求項１〜３のいずれか１項に記載の建具。
【請求項５】
前記框は、室外側の前記立上げ壁を少なくとも含むアルミ材と、室内側の前記立上げ壁を少なくとも含む樹脂材と、が嵌合されて構成される請求項１〜４のいずれか１項に記載の建具。
【発明の詳細な説明】
【技術分野】
【０００１】
本発明は、建具に関する。
【背景技術】
【０００２】
従来、ガラス面材が設けられた引き違い窓等の建具が知られている。建具の框には、ガラス保持溝が形成されて、この溝の内側にガラス面材が保持される。また、ガラス面材が框内でがたついて動くことや、ガラス面材が框に当たることを防止するため、ガラス面材とガラス保持溝との間に、セッティングブロックが配置されている。セッティングブロックは、框の見付方向に離間して配置され、ガラス面材の下面でガラス保持溝の内部に敷くように配置される。
【先行技術文献】
【特許文献】
【０００３】
【特許文献１】特開２０１４−２２４３９１号公報
【発明の概要】
【発明が解決しようとする課題】
【０００４】
セッティングブロックは、框のガラス保持溝に係止させるのみであるため、框にセッティングブロックをセットして、配送等で移動させると、セッティングブロックの位置が動いてしまうことがあった。また、セッティングブロックの上にガラス面材をセットして、框とガラス面材の間にセッティングブロックを介在させた場合にも、配送時にガラス面材及び框を、見込方向の両側から挟んできつく梱包等した場合に、框が変形して係合が外れてしまうことがあった。
【０００５】
本発明は、位置ずれを起こしにくいセッティングブロックを有する建具を提供することを目的とする。
【課題を解決するための手段】
【０００６】
上記目的を達成するため本発明は、ガラス面材（例えば、後述のガラス面材２６）と、該ガラス面材の端部を保持するガラス保持溝（例えば、後述のガラス保持溝２５）を有する框（例えば、後述の框２０）と、前記ガラス面材と前記ガラス保持溝との間に配置されるセッティングブロック（例えば、後述のセッティングブロック３）と、を備える建具（例えば、後述の建具１）であって、前記ガラス保持溝は、底面部（例えば、後述の底面部２５１）と、該底面部の幅方向における各端部から起立する一対の立上げ壁（例えば、後述の立上げ壁２５２）と、前記底面部に形成され前記框の長手方向に延びる溝部（例えば、後述のタッピングホール２５３）と、を有し、前記セッティングブロックは、基部（例えば、後述の基部３１）と、該基部から突出して前記溝部に挿入される突出部（例えば、後述の突出部３２）と、を有し、該突出部は、前記溝部における幅方向の一方側の内面に係合する係合部（例えば、後述の係合部３２１）と、前記溝部における幅方向の他方側の内面を外側へ付勢する付勢部（例えば、後述の付勢部３２２）と、を有する建具を提供する。
【０００７】
前記係合部は、前記基部から前記幅方向の一方側に延出する弾性変形可能な第１ヒレ部で構成され、該第１ヒレ部が前記溝部における前記幅方向の一方側の開口端部（例えば、後述の開口端部２５３ｃ）の内面に係合することが好ましい。
【０００８】
前記付勢部は、前記基部から前記幅方向の他方側に延出する弾性変形可能な第２ヒレ部で構成され、該第２ヒレ部が前記溝部における前記幅方向の他方側の開口端部を外側に付勢することが好ましい。
【０００９】
前記セッティングブロックは、前記立上げ壁と、前記基部における前記立上げ壁に対向する両端部と、の間に隙間（例えば、後述の隙間Ｃ）を有して配置されることが好ましい。
【００１０】
前記框は、室外側の前記立上げ壁を少なくとも含むアルミ材と、室内側の前記立上げ壁を少なくとも含む樹脂材と、が嵌合されて構成されることが好ましい。
【発明の効果】
【００１１】
本発明によれば、位置ずれを起こしにくいセッティングブロックを有する建具を提供することができる。
【図面の簡単な説明】
【００１２】
【図１】本実施形態の建具の正面図である。
【図２】本実施形態の建具のガラス面材を省略した部分斜視図である。
【図３】図１のＡ−Ａ断面図における建具の模式図である。
【図４】本実施形態のセッティングブロックの斜視図である。
【図５】図１のＡ−Ａ断面図におけるセッティングブロックの使用状態図である。
【発明を実施するための形態】
【００１３】
以下、本発明の実施形態について、図面を参照しながら詳しく説明する。なお、本明細書において、「見付方向」とは、建物の壁に形成された開口に納められた引違い窓におけるガラス面である正面又は幅方向（左右方向）を意味し、「見込方向」とは、見付方向と直交方向（奥行き方向）を意味する。
また、本明細書において「施工状態」とは、建具１が完成形で建物の開口に取り付けられた状態を意味する。
【００１４】
図１は、本実施形態の建具１の正面図であり、室内側から見た図である。図２は、建具１のガラス面材２６を省略した部分斜視図であり、下框２２の一部を示している。
図１に示すように、建具１は、引違い窓であり、建物の枠部１００に嵌め込まれる窓枠１０と、窓枠１０内に見付け方向にスライド可能に設けられた障子２と、セッティングブロック３と、錠４と、を備える。
【００１５】
障子２は、略長方形で、建物の上下方向に長手方向が延びるように配置される。障子２は、室内側に配置されて見付方向に摺動可能な内障子２ａ及び屋外側に配置されて見付方向に摺動可能な外障子２ｂからなる。内障子２ａ及び外障子２ｂは、それぞれ框２０を有する。
【００１６】
框２０は、上框２１、下框２２、戸先框２３及び召内框２４と、ガラス保持溝２５と、ガラス面材２６（図３等参照）と、を有する。
図２に示すように、框２０は、アルミ材２０ａと、樹脂材２０ｂとが、互いに嵌合されて構成される複合サッシである。アルミ材２０ａは室外側に配置され、樹脂材２０ｂは室内側に配置される。
【００１７】
図１に戻って、上框２１、下框２２、戸先框２３及び召内框２４は、框２０の四周の枠を構成するように組み付けられる。上框２１、下框２２、戸先框２３及び召内框２４は、それぞれが長尺状の断面視略コの字の部材である。上框２１及び下框２２は、框２０の上方及び下方でそれぞれ見付方向に延びる。戸先框２３は、框２０の見付方向の外側の端部で上下方向に延びる。召内框２４は、框２０の見付方向の中央部における内障子２ａと外障子２ｂが合わさる位置で、上下方向に延びる。
【００１８】
図３は、図１のＡ−Ａ断面図における建具１の模式図であり、建具１を構成する部品を上下に離間して示している。
ガラス保持溝２５は、長尺状で、框２０の内側に向かって開口する断面視略コの字状の溝である。ガラス保持溝２５は、後述するガラス面材２６の端部を開口内で保持する。ガラス保持溝２５は、底面部２５１と、立上げ壁２５２と、溝部としてのタッピングホール２５３と、を有する。
【００１９】
底面部２５１は、ガラス保持溝２５の下面で下框２２の長手方向に沿って延びる部分である。底面部２５１は、室外側のアルミ材２０ａ及び室内側の樹脂材２０ｂの両方の部材で構成されている。
【００２０】
立上げ壁２５２は、底面部２５１の幅方向（施工状態の見込方向）における一方及び他方の各端部から上方に向かって起立する一対の側壁である。
なお、一対の立上げ壁２５２のうち、室外側の立上げ壁２５２は、アルミ材２０ａで構成される。また、室内側の立上げ壁２５２は、樹脂材２０ｂで構成される。
【００２１】
タッピングホール２５３は、底面部２５１の幅方向における略中央で、長手方向（施工状態の見付方向）に沿って延びるように形成される。タッピングホール２５３は、上方（底面部２５１から離間する方）に向かって開口する略Ｃ字状の小さな溝部である。タッピングホール２５３は、側壁部２５３ａ、２５３ｂと、開口端部２５３ｃと、開口部２５３ｄと、を有する。
側壁部２５３ａ、２５３ｂは、一対の向かい合う突起が底面部２５１から突出して形成され、立上げ壁２５２よりも高さが低い。側壁部２５３ａ、２５３ｂは、上方で互いに近付くように曲がっている。
開口端部２５３ｃは、側壁部２５３ａ、２５３ｂの上端部である。
開口部２５３ｄは、一対の開口端部２５３ｃの間に形成される。
タッピングホール２５３には、以下に説明するセッティングブロック３の突出部３２が係合可能である。なお、タッピングホール２５３は、框２０のアルミ材２０ａ側に形成される。
【００２２】
図３に示すように、ガラス面材２６は、板状の２枚の複層ガラスであり、屋外側ガラス２６１と、室内側ガラス２６２と、を有する。屋外側ガラス２６１及び室内側ガラス２６２は、間にスペーサー２６３を介して向かい合うように配置される。
【００２３】
図４は、セッティングブロック３の斜視図である。説明の便宜のため、図２や図３の施工状態から裏返した状態で示している。セッティングブロック３は、ゴム等の弾性部材で形成され、ガラス保持溝２５の底面部２５１に配置される。セッティングブロック３は、基部３１と、突出部３２と、底面部当接部３３と、を有する。
【００２４】
基部３１は、セッティングブロック３の平坦な面であり、ガラス面材２６やスペーサー２６３を支持する部分である。基部３１は、略長方形であり、基部３１の長手方向がガラス保持溝２５の幅方向に沿うように配置され、長手方向の端部が立上げ壁２５２に対向する。基部３１は、その平坦な面が施工状態で上面に向くようにガラス保持溝２５の底面部２５１に配置される。
基部３１は、図３に示すように、長手方向の長さが、ガラス保持溝２５の幅方向の寸法、すなわち一対の立上げ壁２５２間の距離よりも小さい。
【００２５】
突出部３２は、基部３１から突出する断面視が略矢印形状の突起であり、タッピングホール２５３に挿入されて係合する。突出部３２は、基部３１の長手方向の略中央部で、幅方向に延びるように形成される。突出部３２は、ステム部３２３と、係合部３２１と、付勢部３２２と、を有する。
【００２６】
ステム部３２３は、基部３１から離間するように延びる一本の茎部分である。ステム部３２３は、突出部３２がタッピングホール２５３に係合した状態で、一対の側壁部２５３ａ、２５３ｂの間の略中央に位置する。
【００２７】
係合部３２１は、ステム部３２３からタッピングホール２５３の幅方向（施工状態の見込方向）の一方に分岐し、基部３１側へ傾いて延出する。係合部３２１は、厚みの薄い弾性変形可能な第１ヒレ部により構成される。後述するように、第１ヒレ部は、タッピングホール２５３の開口部２５３ｄに挿入される際にステム部３２３側に寄り沿うように変形し、開口部２５３ｄを通過した後、元の形状に戻るような柔軟さを有する。
【００２８】
付勢部３２２は、ステム部３２３からタッピングホール２５３の幅方向の他方に分岐し、基部３１側へ傾いて延出する。付勢部３２２は、厚みの薄い弾性変形可能な第２ヒレ部により構成される。付勢部３２２は、係合部３２１のステム部３２３から一方側の先端までの長さよりも長く、他方側に延出する。すなわち、係合部３２１の第１ヒレ部と付勢部３２２の第２ヒレ部とは、ステム部３２３からの延出長さが異なっている。後述するように、第２ヒレ部は、タッピングホール２５３の開口部２５３ｄに挿入される際にステム２３２側に寄り沿うように変形するような柔軟さを有する。
【００２９】
底面部当接部３３は、基部３１から離間する方向に、突出部３２よりも大きく突出する部分である。底面部当接部３３の端面は、平面状である。底面部当接部３３は、施工状態で、ステム部３２３の根元がタッピングホール２５３の上端に当接しているときに、底面部２５１に当接し、タッピングホール２５３を安定して支持する。
【００３０】
錠４は、召内框２４に取り付けられるクレセント錠である。錠４は、内障子２ａ側に取り付けられた半円型のクレセント金具が、外障子２ｂの見込面に取り付けられた被係合金具に係合することで、外障子２ｂと内障子２ａがロックされるように構成されている。
【００３１】
図５は、図１のＡ−Ａ断面図におけるセッティングブロックの使用状態図を示す。図３及び図５を参照して、建具１におけるセッティングブロックの使用方法について説明する。
【００３２】
まず、図３に示すように、セッティングブロック３の突出部３２を、ガラス保持溝２５内のタッピングホール２５３に挿入する。すなわち、突出部３２を、タッピングホール２５３の一対の側壁部２５３ａ、２５３ｂの間に押し込む。すると、セッティングブロック３は弾性部材で形成されているので、係合部３２１及び付勢部３２２は弾性変形して一対の側壁部２５３ａ、側壁部２５３ｂの間を通る。
【００３３】
図５に示すように、突出部３２をタッピングホール２５３内に押し込むと、係合部３２１を構成している第１ヒレ部が、タッピングホール２５３の開口端部２５３ｃの幅方向の一方側の内面に係合する。より詳細には、タッピングホール２５３の一対の側壁部２５３ａ、２５３ｂは、それぞれの側壁部２５３ａ、２５３ｂの開口端部２５３ｃが互いに近づき、端部同士の間に開口部２５３ｄが形成されている。第１ヒレ部が変形して側壁部２５３ａ、２５３ｂの間の開口部２５３ｄを通過すると、一方の側壁部２５３ａの内側は、第１ヒレ部の先端の上に覆い被さるような位置にあるため、第１ヒレ部が側壁部２５３ａの開口端部２５３ｃの内面に係合する。
【００３４】
一方、係合部３２１及び付勢部３２２（第１ヒレ部及び第２ヒレ部）を比較すると、ステム部３２３から外側の端部までの長さは、第２ヒレ部の方が、第１ヒレ部よりも長い。このため、突出部３２が一対の側壁部２５３ａ、２５３ｂの間に挿入された後、第２ヒレ部は他方の側壁部２５３ｂの開口端部２５３ｃに当接する。第２ヒレ部は、ステム部３２３と側壁部２５３ｂの開口端部２５３ｃの間に挟まれた状態で、元の形状に戻ろうとするので、側壁部２５３ｂの開口端部２５３ｃを外側に付勢する。
【００３５】
以上のように突出部３２がタッピングホール２５３に挿入される。セッティングブロック３の基部３１は、一対の立上げ壁２５２それぞれに対向する基部３１の長手方向の端部が、立上げ壁２５２に当接せず、立上げ壁２５２の内壁との間に隙間Ｃが形成されるように配置される。
【００３６】
本実施形態によれば、以下の効果が奏される。
本実施形態では、建具１を、ガラス面材２６と、ガラス面材２６の端部を保持するガラス保持溝２５を有する框２０と、ガラス面材２６とガラス保持溝２５との間に配置されるセッティングブロック３と、を含んで構成した。また、ガラス保持溝２５を、底面部２５１と、底面部２５１の幅方向における各端部から起立する一対の立上げ壁２５２と、底面部２５１に形成され框２０の長手方向に延びるタッピングホール２５３と、を含んで構成した。また、セッティングブロック３を、基部３１と、基部３１から突出してタッピングホール２５３に挿入される突出部３２と、を含んで構成した。さらに、突出部３２を、タッピングホール２５３における幅方向の一方側の内面に係合する係合部３２１と、タッピングホール２５３における幅方向の他方側の内面を外側へ付勢する付勢部３２２と、を含んで構成した。
突出部３２が係合部３２１と付勢部３２２とを含んでいるため、係合部３２１がタッピングホール２５３の一方の内面に係合することで、セッティングブロック３の突出部３２がタッピングホール２５３から抜けてしまうことが防止される。さらに、付勢部３２２がタッピングホール２５３の他方の内面を外側に付勢することで、付勢部３２２とタッピングホール２５３内との間に摩擦が生じ、セッティングブロック３がタッピングホール２５３内を移動してしまうことが防止される。よって、位置ずれを起こしにくいセッティングブロック３を有する建具１を提供することができる。また、セッティングブロック３が正規位置に保持された状態で、障子２を容易に組み立てることができる。また、セッティングブロック３が正規位置に保持された状態で、框２０を配送等することができる。
【００３７】
本実施形態では、係合部３２１を、基部３１から幅方向の一方側に延出する弾性変形可能な第１ヒレ部で構成し、第１ヒレ部がタッピングホール２５３における幅方向の一方側の開口端部２５３ｃの内面に係合するように構成した。係合部３２１が弾性変形可能なヒレ状の第１ヒレ部により構成されるので、タッピングホール２５３の開口部２５３ｄを通過時には窄まって幅方向の寸法を小さくし、開口部２５３ｄを通過後は元の形状に戻ってタッピングホール２５３の一方側の内面に係合する。このため、係合部３２１がタッピングホール２５３から抜けにくくなる。よって、簡易な構成で容易にセッティングブロック３の位置ずれを防止することができる。
【００３８】
本実施形態では、付勢部３２２を、基部３１から幅方向の他方側に延出する弾性変形可能な第２ヒレ部で構成し、第２ヒレ部がタッピングホール２５３における幅方向の他方側の開口端部２５３ｃを外側に付勢するように構成した。付勢部３２２が弾性変形可能なヒレ状の第２ヒレ部により構成されるので、タッピングホール２５３の開口部２５３ｄを通過時に開口内を通過するように窄まった後、元に戻ろうとする力によってタッピングホール２５３の他方側の内面を外側に付勢する。これにより、付勢部３２２を含めたセッティングブロック３全体を、ガラス保持溝２５に抑えつけておくことになる。また、付勢部３２２とタッピングホール２５３の開口端部２５３ｃとの間には摩擦が生じるので、セッティングブロック３がタッピングホール２５３内を摺動しにくい。よって、簡易な構成で容易にセッティングブロック３の位置ずれを防止することができる。
【００３９】
本実施形態では、セッティングブロック３を、立上げ壁２５２と、基部３１における立上げ壁２５２に対向する両端部と、の間に隙間Ｃを有して配置した。これにより、梱包や運搬等で框２０のガラス保持溝２５において一対の立上げ壁２５２間の距離が狭くなっても、セッティングブロック３の基部３１が、立上げ壁２５２に当接していないので、立上げ壁２５２に押されて変形することが防止される。
例えば、框２０は、図２に示すように、アルミ材２０ａと樹脂材２０ｂが互いに嵌合されて構成される。また、図３に示すように、框２０、セッティングブロック３、ガラス面材２６は互いに組み付けられて施工場所へ運搬される際、框２０の幅方向（見込方向）にきつく梱包され、時には重ねられる。セッティングブロック３の幅方向の端部がガラス保持溝２５の一対の立上げ壁２５２に当接していると、アルミ材２０ａと樹脂材２０ｂの嵌合のために生じるわずかな隙間や変形のために、一対の立上げ壁２５２の間の距離が狭くなった場合、セッティングブロックが上方に凸となるように変形して突出部３２がタッピングホール２５３から抜けてしまうような場合がある。しかし、セッティングブロック３における基部３１の端部と立上げ壁２５２との間に隙間Ｃが設けられていると、上述の効果を奏することができる。
さらに、セッティングブロック３とガラス保持溝２５との係合が、突出部３２とタッピングホール２５３のみによって実現できるので、框２０の立上げ壁２５２が変形しても、立上げ壁２５２や框２０全体の変形等の外部環境の影響がセッティングブロック３に及びにくい。このため、突出部３２がタッピングホール２５３から抜けにくくなる。
【００４０】
本実施形態では、框２０を、室外側の立上げ壁２５２を少なくとも含むアルミ材２０ａと、室内側の立上げ壁２５２を少なくとも含む樹脂材２０ｂと、を嵌合させて構成した。これにより、断熱性を高める一方で寸法精度や強度を維持することができる。
また、セッティングブロックの寸法を、基部３１の幅方向の各端部と立上げ壁２５２との間に隙間Ｃが形成されるような寸法にした場合、異なる素材のアルミ材２０ａ及び樹脂材２０ｂを嵌合させる際に生じ得る寸法誤差や変形等があっても、容易にセッティングブロック３の位置ずれを防止することができる。例えば、具体的には、框２０を樹脂と金属等の別部材を嵌合させて構成し、配送時にガラス面材及び框を、見込方向の両側から挟んできつく梱包等した場合に、別部材が嵌合しているため、部材間の噛み合いの都合でセッティングブロックが外れやすくなることが考えられるが、本実施形態のセッティングブロック３によれば、突出部３２がタッピングホール２５３から抜けにくく、外れにくい。
また、寸法精度の高いアルミ材２０ａの側にタッピングホール２５３が形成されているので、突出部３２の係合部３２１や付勢部３２２がタッピングホール２５３に当接した際、タッピングホール２５３が変形しづらく、確実にセッティングブロック３の位置ずれを防止することができる。
【００４１】
なお、本発明は上記実施形態に限定されるものではなく、本発明の目的を達成できる範囲での変形、改良等は本発明に含まれる。
例えば、上記実施形態では、溝部としてタッピングホール２５３を例に説明したが、セッティングブロック３が係合可能な溝であれば、他の形状であってもよい。
【００４２】
また、上記実施形態では、突出部３２は矢印形状をしているが、これに限られない。基部３１から突出してタッピングホール２５３に係合されることが可能であれば、突出部の端部が球状であったり、突出部の先端と基部との間の中間部からタッピングホール２５３の幅方向に突出する突起部を備える形状であってもよい。
【００４３】
また、上記実施形態では、付勢部３２２の方が係合部３２１よりもステム部３２３からの延出長さが長いが、これに限られない。突出部３２に、一方がタッピングホール２５３の内面に係合し、他方がタッピングホール２５３の内面を外側に付勢するように構成されていれば、付勢部３２２及び係合部３２１のステム部３２３からの延出長さや、タッピングホール２５３の形状の互いの関係は、適宜変更されてよい。
【００４４】
また、上記実施形態では、框２０をアルミ材２０ａと樹脂材２０ｂの複合体で構成しているが、これに限らない。框全体がアルミ等の金属で構成されていてもよい。
【００４５】
また、上記実施形態では、セッティングブロック３は、下框２２に配置されているが、これに限られない。ガラス面材２６の施工箇所や窓枠１０の配置や構成に応じて、ガラス面材２６の端部を保持するように配置されれば、位置は限定されない。
【００４６】
また、上記実施形態では、建具として引違い窓を例に説明しているが、これに限られない。建具としては、例えば、縦辷り窓、開き窓、ＦＩＸ窓であってもよい。
【符号の説明】
【００４７】
１      建具
３      セッティングブロック
２０    框
２０ａ  アルミ材
２０ｂ  樹脂材
２５    ガラス保持溝
２６    ガラス面材
３１    基部
３２    突出部
２５１  底面部
２５２  立上げ壁
２５３  タッピングホール（溝部）
３２１  係合部（第１ヒレ部）
３２２  付勢部（第２ヒレ部）
Ｃ      隙間
【図１】
2018138755.tif 000003
【図２】
2018138755.tif 000004
【図３】
2018138755.tif 000005
【図４】
2018138755.tif 000006
【図５】
2018138755.tif 000007